(57)【特許請求の範囲】
【請求項１】
複数本の歯が植設されたヘアブラシのベース面を覆うように、後付け装着される髪艶出しすべりシートであって、
このシートには、前記歯を挿入するに足りる小孔が複数個設けられており、
このシートは、ゴム繊維を含む不織布、ゴム繊維を含む平織りの織物、ゴム糸を含む織物や編み地から選択される一種であり、
前記小孔に前記歯の先端を差し込んでから、前記歯の根元までシートを装着したとき、前記歯の外形形状に合わせて該小孔が押し広げられるように、該小孔まわりのシートが変形可能に構成されており、
前記小孔部分の滑り向上剤として、シリコーンオイルが含まれていることを特徴とする髪艶出しすべりシート。  
【発明の詳細な説明】
【０００１】
【発明の属する技術分野】
本発明は、ブラシや櫛に被せておいて、ブラッシング時に髪に艶を与えるとともにすべりをよくして髪の損傷を防止し、かつ、ブラシや櫛に付着したふけ汚れを取り残しなく除去するシートに関するものである。
【０００２】
【発明が解決しようとする課題】
従来から、ブラシや櫛にガーゼを被せてブラシや櫛の歯を露出させておいてからブラッシングし、ガーゼを取り外すと同時にブラシや櫛の歯に付着したふけ汚れなどを除去するということは行われていた。しかしながら、従来のガーゼのみ使用の場合は、ブラッシング時に静電気が発生し、そのために髪がまつわりついたりすべりがわるくなってりして髪を傷めることが多かった。
ブラシや櫛の歯は先端が細く根元が太い形状で、その太さや植え方も種々であるから、ブラシや櫛の歯の太さよりもガーゼの目が粗い場合は、ガーゼを取り外す時にブラシや櫛の歯に付着したふけ汚れなどの取り残しがあり、目の詰まったガーゼの場合には織り糸が絡んだり織り糸を押し広げ難かったりして根元の太い部分まで挿入しにくい等の不便があった。
そこで、本発明は、シート体にブラシや櫛の歯の先端を挿入するに足りるだけの小孔を穿設しておいて、この小孔を押し広げ易くして種々の太さのブラシや櫛の歯を根元まで挿入できるようにして、ブラシや櫛に付着したふけ汚れを取り残しなく除去できるようにする。さらに、上記のシートに髪のすべりをよくし髪に艶を与える等の機能を持たせ、ブラッシングしながら髪のケアができることを目的とする。
【０００３】
【課題を解決するための手段】
本発明は、複数本の歯が植設されたヘアブラシのベース面を覆うように、後付け装着される髪艶出しすべりシートを対象とする。このシートには、前記歯を挿入するに足りる小孔が複数個設けられている。このシートは、ゴム繊維を含む不織布、ゴム繊維を含む平織りの織物、ゴム糸を含む織物や編み地から選択される一種である。前記小孔に前記歯の先端を差し込んでから、前記歯の根元までシートを装着したとき、前記歯の外形形状に合わせて該小孔が押し広げられるように、該小孔まわりのシートが変形可能に構成されている。前記小孔部分の滑り向上剤として、シリコーンオイルが含まれている。
【０００４】
【発明実施の形態】
以下、本発明の実施の形態を説明する。
【０００５】
本発明のシート体１の素材は、コットン繊維、レーヨン繊維、合成繊維、ゴムを含む繊維、発砲ゴムシート、パルプ繊維の単体または複合で吸液性があればよい。また、不織布、平織りの繊維シート（例えばガーゼ）、軟質の網地、軟質のゴムシートまたは軟質のプラスチックシート、ゴム糸の編み地または繊維とゴム糸の編み地または織物等を使用する。
不織布を使用する場合の目付は２０〜６０ｇ／ｍ２が適当であるが、２０〜４０ｇ／ｍ２が最も好ましい。織物の場合は（ゴム繊維を含めて）４０〜１２０ｇ／ｍ２が好ましい。
孔２の形状は網目状のものを図示しているが、限定するものではなく、丸孔やその他の形状でもよい。
【０００６】
図１は本発明の髪艶出しすべりシートの使用状態を例示したもので、ブラシの歯をシート体１に挿入したときの孔２を押し広げた状態を一部拡大して示している。この実施例はゴム繊維を含まない不織布、平織りの織物、またはゴム繊維を含む不織布、平織りの織物、或いはゴム糸を含んだ織物や編地等を使用し、ブラシ部の表面に被せて使用する場合を例示している。
図２はシート体１を筒状に形成した場合である。この場合は円周方向にゴム糸を使用して縦方向にコットン繊維を使用した平織りのものでブラシ部の周面に被せて使用するものの場合を例示している。
【０００７】
本発明は上記の繊維に油分または界面活性剤の片方またはいずれか一方を含ませたものである。そうすることによって、平織りのシート体でも不織布の場合でも繊維に柔軟性を与え、滑りをよくして小孔を押し広げやすくする。
また、ゴムはすべりが悪いものであるが、オイルでコーティングされることによって、すべりがよくなり小孔の押し広げ効果が得られる。
さらに、シート体１に含まれた液剤がブラッシング時に髪に触れて髪の艶出し効果およびすべり効果を発揮するものである。
艶出し剤、すべり効果剤としては、シリコーンオイル、ホホバ油、椿油、オリーブ油、菖蒲油、流動パラフィン、スクワラングリセリン、白色ワセリン・ラノリン、パラフィンワックス、パイン油、ラベンダー油、ヌカ油、米ヌカエキス、大豆油、ハッカ油、ゴマ油、落花生油、ナタネ油、アボカド油、その他種々あげられるが、特に、低粘度で浸透拡散性の良い油剤が望ましい。その例としては、シシリコーンオイル、ホホバ油、椿油等があげれる。
また、油分や界面活性剤の他に、清感剤や香料等を含有させてもよい。
【０００８】
上記の艶出し剤を幾つか使用して、以下に実施例を示す。
実施例１
さらっとした感じのオイルベースタイプのものである。
３０〜３００／ｃｓのシリコーンオイルをシート体１に噴霧または印刷にて塗布、または数点滴下して拡散させる。
この実施例のように、シリコーンオイル単体使用はどの素材にも適合するが、特に、ゴム繊維入りの不織布、ゴム繊維を含む平織り、またはゴム糸を含む織物や編み地、発砲ゴムシート等のようにゴム使用の場合には、界面活性剤や水分が入るとゴムの老化が速いので、経時によるゴムの弾力劣化を防ぐためには、化学反応性のないシリコーンオイル単体を使用する。シリコーンオイルの特性でゴム繊維にもまんべんなく拡散してコーティングするからゴムの酸化を防止し、長持ちさせることができるのである。さらに、シリコーンオイルのすべりと離型性特性からコーティングによって、すべりの悪いゴムがすべりやすくなり、小孔の押し広げ効果が得られてブラシの歯の挿入が容易になる。
【０００９】
実施例２
オイルベースタイプ配合のものである。
ホホバ油５％、椿油２０％、ビタミンＥ（酸化防止剤）０・１％、香料微量、オリーブ油を加えて１００％にしたものをシート体に噴霧または印刷にて塗布、または数点滴下して拡散させる。目付３０ｇ／ｍ２の不織布を使用した。
実施例３
オイルベースタイプ配合のものである。
シリコーン油（粘度３０ｃｓ〜５００ｃｓ）９０％、ホホバ油１０％をシート体に噴霧または印刷にて塗布、または数点滴下して拡散させる。
目付け３０ｇ／ｍ２の不織布を使用した。
上記の実施例１、実施例２、実施例３に記載のオイルタイプのものは、押し広げ効果とすべり効果を主としたものである。油分によってすべりがよく孔２を押し広げやすくする。油分がブラッシング時に髪に触れて艶を与えるとともに、ブラシや櫛の通りを非常によくするから髪が痛まない。
【０００９】
実施例４
エマルジョンタイプのものである。
界面活性剤（ＰＯＥオレインアルコールエーテル）０・２％、Ｌメントール（清感剤）０・１％、１・３−ブチレングリコール（保湿剤、界面活性剤）２・０％、エタノール（清感剤）５・５％、メチルパラベン（防腐剤）０・１％に精製水を加えて１００％になるようにして、シート体に噴霧または塗布する。
目付け２０〜４０ｇ／ｍ２の不織布を使用した。
実施例５
エマルジョンタイプのものである。
界面活性剤（ＰＯＥオレインアルコールエーテル）２・０％、エタノール（清感剤）２・５％、オリーブ油１・０％、シリコーン油（３００ｃｓ）０・２％、１・３−プチレングリコール（保湿剤、界面活性剤）３・０％、メチルパラベン（防腐剤）０・１％に精製水を加えて１００％になるようにして、シート体にロール塗布または印刷にて塗布する。目付け２０〜４０ｇ／ｍ２の不織布を使用した
上記の実施例４および実施例５に記載のエマルジョンタイプのものは、さらっとした感触で、すべり効果と艶出し効果が得られ、さらに、水分を添加したことによって静電気防止効果が増す。ブラッシング時に静電気が発生しないから髪を傷めない。勿論、孔を押し広げ易い効果がある。
【００１０】
実施例６
固形タイプのものである。
界面活性剤（ＰＯＥオレインアルコールエーテル）１・５％、パラフィンワックス（すべり剤）４・０％、ステアリン酸４・０％、流動パラフィン２５・０％シリコーン油（３００ｃｓ）０・２％、１・３−ブチレングリコール（保湿剤、界面活性剤）５・０％、ビタミンＥ（酸化防止剤）０・１％、ブチルパラベン（防腐剤）０・１％に精製水を加えて１００％になるようにしてシート体に含浸またはロール塗布または印刷にて塗布する。
目付け２０〜４０ｇ／ｍ２の不織布を使用した。
実施例６に記載の固形タイプのものは、温度が上がると溶ける性質のものであるから、ブラッシング時に頭髪の中に溶出して効果的にすべりと孔２の押し広げ効果および艶出し効果および静電気防止効果などが得られる。
【００１１】
上記の実施例１、実施例２、実施例３に記載の場合は、シート体に上記の液剤を含ませる方法として、液剤を数点滴下してガスバリヤ性と耐油性の高い包装材（アルミプラスチックラミネートフィルムが好ましい）でピロー包装し、１日、場合によっては約１週間ほど放置しておけばシート体全体に液剤が拡散浸透するため液剤を噴霧や印刷または塗布する場合のように、大がかりな設備を要さないからコスト安になって好ましい。  上記の液剤の量は、噴霧する場合は１ｍ２当たり３〜２０ｇ、数点滴下する場合は１ｍ２当たり１０〜４０ｇ、塗布、印刷、ロール印刷の場合は１ｍ２当たり１０〜６０ｇが適量である。
【００１２】
【発明の効果】
本発明は上記の構成によって以下の効果を有す。
（１）ブラッシング時の静電気の発生を防止するから髪を傷めない。
（２）ブラッシングしながら、シート体１に含ませた液剤によって髪のすべりをよくするとともに髪に艶を与えることができる。
（３）シート体１に含ませた液剤によって柔軟性を有し、太さや形状の異なるブラシや櫛の歯に沿うように小孔を押し広げやすくする。
（４）シート体１の繊維間のすべりをよくして、小孔を押し広げやすい。
（５）通常、ゴムはすべりが悪いものであるが、シリコーンオイルでコーティングされることによってゴムを含む場合でもすべりをよくして小孔を押し広げやすくする。
（６）ブラシや櫛の歯に沿うように小孔を押し広げることができるので、ブラシや櫛の歯に付着したふけ汚れなどの取り残しがない。
上述のように、本発明はブラシや櫛の歯に付着したふけ汚れなどを取り残しなく除去できるとともに、ブラッシング中に液剤による髪の艶出しやすべり効果がが得られるなど極めて有用なものである。
【００１３】
【図面の簡単な説明】
【図１】本発明の髪艶出しすべりシートの使用状態を例示し、ブラシの歯を挿入したときの孔２の広がり状態を示すために一部を拡大した斜視図である。
【図２】本発明の髪艶出しすべりシートを筒状体に形成した実施例を示し、孔２を示すために一部を拡大した斜視図である。
【符号の説明】
１・・・・・・シート体
２・・・・・・孔
【図１】
0004339934.tif 000002
【図２】
0004339934.tif 000003